(57)【特許請求の範囲】
【請求項１】
端末装置と、前記端末装置と通信可能な管理サーバと、を備えた現場写真管理システムであって、
前記管理サーバは、項目入力画面を表示処理し、
前記項目入力画面を介して現場データと対応する項目が入力された後に、前記現場データと対応するコード画像を前記現場データの少なくとも一部に基づき生成し、
前記端末装置から転送された、撮影箇所及び工事項目を特定する為の複数の項目並びにそれぞれの前記項目に対応する複数の小項目を含む現場写真詳細データと、現場写真とを前記現場データと対応付けてデータベースに保存し、
管理画面における前記現場データの指定を条件として、前記現場データと対応する前記現場写真詳細データ及び前記現場写真に基づき報告書データを生成して前記データベースに保存し、
前記端末装置は、前記コード画像の読取処理を行い、現場写真詳細データ入力画面を表示処理し、
前記現場写真詳細データ入力画面を介して入力された前記現場写真詳細データ、及び撮影部により撮影された前記現場写真を、前記読取処理を行った前記コード画像と対応する前記現場データと対応付けて前記管理サーバに転送し、
前記管理サーバは、更に、前記複数の項目の中から項目の選択を受け付け、受け付けた項目について報告書データにおける現場写真の並びの変更を行うことを特徴とする現場写真管理システム。
【請求項２】
前記端末装置は、更に、前記報告書データが示し得る情報の少なくとも一部を検索クエリとして指定し、前記管理サーバに対して前記報告書データの参照を要求する参照要求を行い、
前記管理サーバは、更に、前記参照要求に応じて、指定された前記検索クエリと対応する前記報告書データを前記データベースにおいて参照し前記端末装置へ送信することを特徴とする請求項１に記載の現場写真管理システム。
【請求項３】
前記端末装置は、更に、
前記端末装置に保存された前記現場写真の中から選択した少なくとも１つ以上の前記現場写真とそれに対応する前記現場写真詳細データを、前記現場データと対応付けて前記管理サーバに追加で転送し、
前記現場データの少なくとも一部の変更及び／又は削除を前記管理サーバに対して要求する修正要求を行い、
前記管理サーバは、更に、
前記端末装置から追加で転送された前記現場写真及び前記現場写真詳細データを、前記現場データと対応付けて前記データベースに保存し、
前記修正要求に応じて、前記現場データの少なくとも一部の変更及び／又は削除を行うことを特徴とする請求項１又は２に記載の現場写真管理システム。
【請求項４】
前記管理サーバは、更に、生成した前記コード画像、又は、前記データベースにおいて参照して生成した前記報告書データを印刷する印刷部を備えることを特徴とする請求項１〜３の何れかに記載の現場写真管理システム。
【請求項５】
前記項目は、工事現場における複数の室を前記小項目として含む室群と、工事現場における面、天井、床下及び外部を前記小項目として含む面群と、工事現場における仮設工事、内装工事及び空調工事を前記小項目として含む分類群と、既存、解体、下地及び仕上を前記小項目として含む工事項目群と、を含む請求項１〜４の何れかに記載の現場写真管理システム。
【請求項６】
前記管理サーバは、更に、前記選択を受け付けた項目が含む小項目について、その並びの指定を受け付け、報告書データにおける現場写真の並びの変更を行うことを特徴とする請求項１〜５の何れかに記載の現場写真管理システム。
【請求項７】
前記管理サーバは、更に、前記複数の項目及び小項目の中から項目及び小項目の選択を複数受け付け、前記受け付けた項目及び小項目について、報告書データにおける現場写真の並びの優先順位を決定することを特徴とする請求項１〜６の何れかに記載の現場写真管理システム。
【請求項８】
作業者により操作される端末装置と、前記端末装置と通信可能な管理サーバと、によって実行される現場写真管理方法であって、
項目入力画面を表示処理するステップと、
前記項目入力画面を介して現場データと対応する項目が入力された後に、前記現場データと対応するコード画像を前記現場データの少なくとも一部に基づき生成するステップと、
前記端末装置から転送された、撮影箇所及び工事項目を特定する為の複数の項目並びにそれぞれの前記項目に対応する複数の小項目を含む現場写真詳細データと、現場写真とを前記現場データと対応付けてデータベースへ保存するステップと、
管理画面における前記現場データの指定を条件として、前記現場データと対応する前記現場写真詳細データ及び現場写真に基づき報告書データを生成するステップと、
前記複数の項目の中から項目の選択を受け付け、受け付けた項目について報告書データにおける現場写真の並びを変更するステップと、を前記管理サーバが実行し、
前記コード画像の読取処理を行い、現場写真詳細データ入力画面を表示処理するステップと、
前記現場写真詳細データ入力画面を介して入力された前記現場写真詳細データ、及び撮影部により撮影された前記現場写真を、前記読取処理を行った前記コード画像と対応する前記現場データと対応付けて前記管理サーバに転送するステップと、を前記端末装置が実行することを特徴とする現場写真管理方法。
【請求項９】
作業者によって操作される端末装置から転送された現場写真を整理することにより写真管理の支援を行う管理サーバである現場写真管理装置であって、
項目入力画面を介して現場データと対応する項目が入力された後に、前記現場データと対応するコード画像を前記現場データの少なくとも一部に基づき生成し、
前記端末装置から転送された、撮影箇所及び工事項目を特定する為の複数の項目並びにそれぞれの前記項目に対応する複数の小項目を含む現場写真詳細データと、現場写真とを前記現場データと対応付けてデータベースに保存し、
管理画面における前記現場データの指定を条件として、前記現場データと対応する前記現場写真詳細データ及び現場写真に基づき報告書データを生成して前記データベースに保存し、
前記複数の項目の中から項目の選択を受け付け、受け付けた項目について報告書データにおける現場写真の並びの変更を行うことを特徴とする現場写真管理装置。
【請求項１０】
現場写真管理プログラムであって、コンピュータを、
項目入力画面を介して現場データと対応する項目が入力された後に、前記現場データと対応するコード画像を前記現場データの少なくとも一部に基づき生成し、
端末装置から転送された、撮影箇所及び工事項目を特定する為の複数の項目並びにそれぞれの前記項目に対応する複数の小項目を含む現場写真詳細データと、現場写真とを前記現場データと対応付けてデータベースに保存し、
管理画面における前記現場データの指定を条件として、前記現場データと対応する前記現場写真詳細データ及び前記現場写真に基づき報告書データを生成して前記データベースに保存し、
前記複数の項目の中から項目の選択を受け付け、受け付けた項目について報告書データにおける現場写真の並びの変更を行う管理サーバとして機能させることを特徴とする現場写真管理プログラム。
【発明の詳細な説明】
【技術分野】
【０００１】
本発明は、現場写真管理システム、現場写真管理方法、現場写真管理装置、及び、現場写真管理プログラムに関する。
【背景技術】
【０００２】
マンションやオフィスビルなどの建物は、定期的に検査され、検査結果に応じて補修や修繕の工事が行われる。このような工事においては、補修や修繕が必要な箇所（以下、工事現場という）ごとに、工事内容に応じた工程の進捗管理が行われる。また、工事が完了すると、各工事現場の工事の経過を写した画像を添付した報告書が作成される。
【０００３】
特許文献１では、工事現場に配置された識別コードを撮影することにより、識別コードが写った画像の画像データを生成すると共に、工事現場を撮影することにより、当該工事現場が写った画像の画像データを生成し、識別コードが写った画像に基づいて取得される位置に関する情報及び工事に関する情報に基づき、工事現場が写った画像の画像データを、工事現場ごとに分類可能な状態、且つ、工事現場に適用される工事における複数の工程のうちの特定の工程を表す情報と関連付けられた状態で記憶部に記憶させる工程管理システム及びその方法、プログラムに関する発明が開示されている。
【先行技術文献】
【特許文献】
【０００４】
【特許文献１】特開２０２０−３０５１９号公報
【発明の概要】
【発明が解決しようとする課題】
【０００５】
しかしながら、特許文献１記載の発明は、識別コードを工事現場ごとに発行し、識別コードを配置した工事現場を撮影することで、画像データを各工事現場や工程ごとに分類する発明であり、撮影を行う度に識別コードを工事箇所に配置しなければならない、と把握することができる。
【０００６】
また、特許文献１記載の発明は、現場写真データの集約にかかる作業者の負担を軽減し現場写真データの報告にかかる監督者の負担を軽減する、という観点において改善の余地がある、と把握することができる。
【０００７】
上記事情を鑑みて、本発明は、現場写真管理にかかる新規な技術を提供することを、解決すべき課題とする。
【課題を解決するための手段】
【０００８】
上記課題を解決するために、本発明は、端末装置と、前記端末装置と通信可能な管理サーバと、により構成された現場写真管理システムであって、前記管理サーバは、項目入力画面を表示処理させる表示部と、前記項目入力画面を介して現場データと対応する項目が入力された後に、前記現場データと対応するコード画像を前記現場データの少なくとも一部に基づき生成するコード生成部と、前記端末装置から転送された現場写真詳細データ及び現場写真を前記現場データと対応付けてデータベースに保存する保存部と、管理画面における前記現場データの指定を条件として、前記現場データと対応する前記現場写真詳細データ及び前記現場写真に基づき報告書データを生成し前記データベースに保存する報告書生成部と、を備え、前記端末装置は、前記コード画像の読取処理を行い、現場写真詳細データ入力画面を表示処理する端末表示部と、前記現場写真詳細データ入力画面を介して入力された前記現場写真詳細データ、及び撮影部により撮影された前記現場写真を、前記読取処理を行った前記コード画像と対応する前記現場データと対応付けて前記管理サーバに転送する転送部とを備える。このような構成とすることで、本発明は、前記現場写真の集約にかかる作業者の負担を軽減し、前記報告書データの作成にかかる監督者の負担を軽減することができる。
【０００９】
本発明の好ましい形態では、前記端末装置は、前記報告書データが示し得る情報の少なくとも一部を検索クエリとして指定し、前記管理サーバに対して前記報告書データの参照を要求する参照要求を行う報告書要求部をさらに備え、前記管理サーバは、前記参照要求に応じて、指定された前記検索クエリと対応する前記報告書データを前記データベースにおいて参照し前記端末装置へ送信する報告書送信部をさらに備えることを特徴とする。このような構成とすることで、本発明は、監督者が閲覧又は編集を望む前記報告書データの発見を容易にすることができる。
【００１０】
本発明の好ましい形態では、前記端末装置は、前記端末装置に保存された前記現場写真の中から選択した少なくとも１つ以上の前記現場写真とそれに対応する前記現場写真詳細データを、前記現場データと対応付けて前記管理サーバに追加で転送する追加転送部と、前記現場データの少なくとも一部の変更及び／又は削除を前記管理サーバに対して要求する修正要求を行う修正要求部と、をさらに備え、前記管理サーバは、前記端末装置から追加で転送された前記現場写真及び前記現場写真詳細データを、前記現場データと対応付けて前記データベースに保存する追加保存部と、前記修正要求に応じて、前記現場データの少なくとも一部の変更及び／又は削除を行う修正部と、をさらに備えることを特徴とする。このような構成とすることで、本発明は、監督者が前記報告書データに対し、前記現場写真及び／又は前記現場写真詳細データの変更及び／又は削除を行うことができる。
【００１１】
本発明の好ましい形態では、前記報告書生成部は、前記現場写真にかかる撮影日時及び／又は前記現場データにおける前記現場写真詳細データの少なくとも一部に基づいて、前記報告書データにおける前記現場写真の並びを工事の工程に沿って決定することを特徴とする。このような構成とすることで、本発明は、前記報告書データにおける前記現場写真の並びを変更することができる。
【００１２】
本発明の好ましい形態では、前記管理サーバは、前記報告書生成部により生成された前記報告書データを前記データベースにおいて参照し、又は、前記コード生成部により生成されたコード画像を印刷する印刷部をさらに備えることを特徴とする。このような構成とすることで、本発明は、前記報告書データを、前記印刷部を用いて印刷をすることができる。
【００１３】
上記課題を解決するために、本発明は、作業者により操作される端末装置と、前記端末装置と通信可能な管理サーバとによって実行される現場写真管理方法であって、項目入力画面を表示処理する表示ステップと、前記項目入力画面を介して現場データと対応する項目が入力された後に、前記現場データと対応するコード画像を前記現場データの少なくとも一部に基づき生成するコード生成ステップと、前記端末装置から転送された現場写真詳細データ及び現場写真を保存する保存ステップと、管理画面における前記現場データの指定を条件として、前記現場データと対応する前記現場写真詳細データ及び現場写真に基づき報告書データを生成する報告書生成ステップと、を前記管理サーバに実行させ、前記コード画像の読取処理を行い、現場写真詳細データ入力画面を表示処理する端末表示ステップと、前記現場写真詳細データ入力画面を介して入力された前記現場写真詳細データ、及び撮影部により撮影された前記現場写真を、前記読取処理を行った前記コード画像と対応する前記現場データと対応付けて前記管理サーバに転送する転送ステップと、を前記端末装置に実行させることを特徴とする現場写真管理方法である。
【００１４】
上記課題を解決するために、本発明は、作業者によって操作される端末装置であって、コード画像の読取処理を行い、現場写真詳細データ入力画面を表示処理する端末表示部と、前記現場写真詳細データ入力画面を介して入力された現場写真詳細データ、及び撮影部により撮影された現場写真を、読取処理を行った前記コード画像と対応する現場データと対応付けて管理サーバに転送する転送部と、を備えることを特徴とする現場写真管理装置である。
【００１５】
上記課題を解決するために、本発明は、作業者によって操作される端末装置から転送された現場写真を整理することにより写真管理の支援を行う現場写真管理装置であって、項目入力画面を介して現場データと対応する項目が入力された後に、前記現場データと対応するコード画像を前記現場データの少なくとも一部に基づき生成するコード生成部と、前記端末装置から転送された現場写真詳細データ及び現場写真を保存する保存部と、管理画面における前記現場データの指定を条件として、前記現場データと対応する前記現場写真詳細データ及び現場写真に基づき報告書データを生成する報告書生成部と、を備えることを特徴とする現場写真管理装置である。
【００１６】
上記課題を解決するため、本発明は、現場写真管理プログラムであって、コンピュータを、現場データと対応するコード画像の読取処理を行うことで現場写真詳細データ入力画面に移行する端末表示部と、前記現場写真詳細データ入力画面を介して入力された現場写真詳細データ、及び撮影部により撮影された現場写真を、前記読取処理を行った前記コード画像と対応する前記現場データと対応付けて管理サーバに転送する転送部と、を備える端末装置として機能させることを特徴とする現場写真管理プログラムである。
【００１７】
上記課題を解決するため、本発明は、現場写真管理プログラムであって、コンピュータを、項目入力画面を介して現場データと対応する項目が入力された後に、前記現場データと対応するコード画像を前記現場データの少なくとも一部に基づき生成するコード生成部と、端末装置から転送された現場写真詳細データ及び現場写真を保存する保存部と、管理画面における前記現場データの指定を条件として、前記現場データと対応する前記現場写真詳細データ及び前記現場写真に基づき報告書データを生成する報告書生成部と、を備える管理サーバとして機能させることを特徴とする現場写真管理プログラムである。
【発明の効果】
【００１８】
本発明は、現場写真管理にかかる新規な技術を提供することができる。
【図面の簡単な説明】
【００１９】
【図１】本発明の一実施形態にかかるハードウェア構成図を示す。
【図２】本発明の一実施形態にかかる機能ブロック図を示す。
【図３】本発明の一実施形態にかかる処理フローチャート図を示す。
【図４】本発明の一実施形態にかかる項目入力画面０ｗ１を示す。
【図５】本発明の一実施形態にかかる管理画面０ｗ２を示す。
【図６】本発明の一実施形態にかかる現場写真詳細データ入力画面０ｗ３を示す。
【図７】本発明の一実施形態にかかる報告書データ１００４を示す。
【図８】本発明の一実施形態にかかる報告書データ１００４を示す。
【発明を実施するための形態】
【００２０】
本明細書は、本発明の一実施形態にかかる構成や作用効果等について、図面を交えて、以下に説明する。
【００２１】
本発明は、以下の一実施形態に限定されず、様々な構成を採用し得る。また、本発明の一実施形態は、各実施形態のそれぞれにおける構成の一部を、本発明の一実施形態が目的とする作用効果の実現を阻害しない範囲で互いに採用してよい。
【００２２】
本発明にかかる現場写真管理システム、現場写真管理方法、現場写真管理装置、現場写真管理プログラム、及び、現場写真管理プログラム媒体のそれぞれは、同様の作用効果を奏する。現場写真管理システム等における各部と、現場写真管理方法における各ステップと、は同様の作用効果を奏する。
【００２３】
現場写真管理システム、現場写真管理方法、現場写真管理装置、現場写真管理プログラム、及び、現場写真管理プログラム媒体のそれぞれにおける各部・各ステップの作用効果は、後述のプロセッサ等の演算デバイス１１や演算デバイス２１が発揮する、と把握することができる。また、現場写真管理方法の各ステップの作用効果も当該プロセッサ等の演算デバイス１１や演算デバイス２１により実現される、と把握することができる。
【００２４】
現場写真管理プログラム媒体は、現場写真管理プログラムが格納された光ディスクやフラッシュメモリ等の非一過性の記録媒体である。
【００２５】
現場写真管理システムは、管理サーバ１と、端末装置２と、を備える。
【００２６】
図１に例示されるように、管理サーバ１は、既知のコンピュータであり、少なくとも、演算デバイス１１、主記憶デバイス１２、補助記憶デバイス１３、通信デバイス１６及びバスインタフェースを有し、本発明が発揮する作用効果を実現する上で適宜、用いられる。また、管理サーバ１は、上記構成に加えて、入力デバイス１４及び出力デバイス１５を備える構成であってよい。
【００２７】
また、図１に例示されるように、端末装置２は、既知のコンピュータであり、少なくとも、演算デバイス２１、主記憶デバイス２２、補助記憶デバイス２３、入力デバイス２４、出力デバイス２５、通信デバイス２６、撮像デバイス２７及びバスインタフェースを有し、本発明が発揮する作用効果を実現する上で適宜、用いられる。
【００２８】
演算デバイス１１及び２１は、命令セットを実行可能な既知のプロセッサを有する。主記憶デバイス１２及び２２は、命令セットを記憶可能な既知の揮発性メモリを有する。補助記憶デバイス１３及び２３は、プログラム等を記録可能な既知の記録媒体を有する。入力デバイス１４及び２４は、例えば意思入力が可能な既知のインタフェースである。出力デバイス１５及び２５は、例えば視覚的な報知を可能とする既知のインタフェースである。通信デバイス１６及び２６は、ネットワークのへの接続・参加を実現するための有線方式又は無線方式に基づく既知のインタフェースを有する。撮像デバイス１７は、読取処理や撮像処理が可能な既知のイメージセンサを有する。なお、出力デバイス１５は、既知のプリンタをさらに有する構成であってよい。
【００２９】
本発明の一実施形態における管理サーバ１は、１又は複数のコンピュータからなる。管理サーバ１が複数のコンピュータからなる場合は、例として、複数のコンピュータのそれぞれがフロントエンドサーバ、バックエンドサーバ及びデータベースサーバとして扱われる。このとき、管理サーバ１が有する各部・各ステップにかかる機能は、当該複数のコンピュータにより適宜、分担されることで実現される、と把握することができる。
【００３０】
本発明の一実施形態における端末装置２は、１又は複数のコンピュータからなる。当該１又は複数のコンピュータは、例として、スマートフォン、タブレット及びラップトップ等の作業者ユーザが携帯可能なコンピュータである、と把握することができる。
【００３１】
本発明の一実施形態における管理サーバ１及び端末装置２は、ネットワーク（ＮＷ）を介して、相互に通信可能である。当該ネットワークは、パブリックネットワークであってよく、プライベートネットワークであってよく、その物理層の態様に制限はない。
【００３２】
図２に例示されるように、管理サーバ１は、受信部１０１（受信ステップに相当。）と、送信部１０２（送信ステップに相当。）と、保存部１０３（保存ステップに相当。）と、追加保存部１０４（追加保存ステップに相当。）と、修正部１０５（修正ステップに相当）と、コード生成部１０６（コード生成ステップに相当。）と、報告書生成部１０７（報告書生成ステップに相当。）と、報告書送信部１０８（報告書送信ステップに相当。）と、表示部１０９（表示ステップに相当。）と、操作入力部１１０（操作入力ステップに相当。）と、印刷部１１１（印刷ステップに相当。）と、を有する。
【００３３】
また、図２に例示されるように、端末装置２は、転送部２０１（転送ステップに相当。）と、受信部２０２（受信ステップに相当。）と、端末表示部２０３（端末表示ステップに相当。）と、報告書要求部２０４（報告書要求ステップに相当。）と、追加転送部２０５（追加転送ステップに相当。）と、修正要求部２０６（修正要求ステップに相当。）と、読取部２０７（読取ステップに相当。）と、画像処理部２０８（画像処理ステップに相当。）、画像登録部２０９（画像登録ステップに相当。）と、入力部２１０（入力ステップに相当。）と、撮影部２１１（撮影ステップに相当。）と、プログラム記憶部２１２（プログラム記憶ステップに相当。）と、現場写真記憶部２１３（現場写真記憶ステップに相当。）と、を有する。
【００３４】
また、図２に例示されるように、現場写真管理システムは、管理サーバ１及び端末装置２に加えて、データベース（ＤＢ）を有する。当該データベースは、管理サーバ１が有するハードウェア資源の少なくとも一部を利用するデータベースであってよく、ネットワークを介して管理サーバ１と相互に通信可能な外部データベースであってよい。
【００３５】
データベースは、現場写真管理システムにおいて扱われるデータ・情報全般の少なくとも一部を有する。当該データベースは、例として、現場データ１００１、現場写真１００２、現場写真詳細データ１００３及び報告書データ１００４を有する。
【００３６】
現場データ１００１は、工事現場にかかる工事種別群における所定の工事種別を示す工事種別データ１００１ａと、工事現場にかかる現場住所を示す現場住所データ１００１ｂと、工事現場にかかる補助事業者を示す補助事業者データ１００１ｃと、を含む情報を示す。なお、本明細書における「工事種別群」は、防音工事、機能復旧工事などを含む。ここで、機能復旧工事とは、建具復旧工事や空調復旧工事を含む。
【００３７】
現場写真１００２は、撮影部２１１を用いて撮影された工事現場の写真である。現場写真１００２は、例として、後述する画像処理部２０８によって画像処理を施されてよい。
【００３８】
現場写真詳細データ１００３は、工事現場において複数の室を含み得る室群における所定の室を示す室データ１００３ａと、工事現場において複数の面、天井、床下及び外部を含み得る面群における所定の面を示す面データ１００３ｂと、仮設、外部、内部床、内部壁、内部天井、金建、雑、換気扇、レンジフード、エアコン及び電気を含み得る分類群における所定の分類を示す現場写真分類データ１００３ｃと、既存、解体、下地及び仕上を含み得る項目群における所定の工事項目を示す工事項目データ１００３ｄと、を含む情報を示す。
【００３９】
データベース（ＤＢ）は、リレーショナルデータベースやキーバリューストアなどの既知のデータベースの構造を示す。ここで、データベース上の各種データのデータ構造・ファイルフォーマットは、既知のデータ構造・ファイルフォーマットを示す。
【００４０】
図３に例示されるように、本発明の一実施形態にかかる現場写真管理は複数のステップを含む。ここで、現場写真管理は、上記課題の解決を阻害しない範囲で図３中のステップの順序を入れ替えることができる、と把握することができる。
【００４１】
受信部１０１は、ネットワークを介して端末装置２などの他のコンピュータから送信される情報の受信を行う。
【００４２】
受信部１０１は、監督者にかかる認証処理を行う。当該認証処理は、ユーザ識別子（ユーザＩＤ）及びパスワードに基づく認証処理であってよく、監督者にかかる生体特徴に基づく生体認証処理であってよい。当該生体認証処理は、例として、指紋認証、顔認証及び静脈認証が挙げられる。
【００４３】
受信部１０１は、監督者にかかる認証処理が成功することを条件として、監督者による管理サーバ１を介したリクエストを受け付ける。
【００４４】
送信部１０２は、ネットワークを介して端末装置２などの他のコンピュータに対して情報の送信を行う。送信部１０２は、例として、報告書データ１００４を端末装置２へ送信する。
【００４５】
保存部１０３は、受信部１０１が端末装置２から受信した現場写真詳細データ１００３及び現場写真１００２を、現場データ１００１と対応付けて、送信部１０２を介してデータベースへの送信及び保存を行う。
【００４６】
追加保存部１０４は、後述する追加転送部２０５から追加で転送された現場写真１００２及び現場写真詳細データ１００３を現場データ１００１と対応付けた後、当該現場写真１００２及び現場写真詳細データ１００３に保存し、現場データ１００１に基づいて生成された報告書データ１００４に追加する。
【００４７】
また、修正部１０５は、報告書データ１００４中の現場写真１００２について、現場データ１００１における現場写真詳細データ１００３の少なくとも一部に基づいて、その並びを変更してもよい。詳細には、修正部１０５は、後述の現場写真詳細データ入力画面０ｗ３を介して入力した項目のうち、最も大きな分類としての項目（例として、室データ１００３ａ。）を選択し、その並びを指定し、次に大きな分類としての項目（例として、面データ１００３ｂ。）を選択し、その並びの指定を行う。この指定を、監督者が必要であると認めた項目まで繰り返し行い、指定した並びを報告書データ１００４中の現場写真１００２の並びに反映することで、並びの変更を行うことが可能である。また、現場写真１００２は撮影日時の新しい、又は、古い順番に並びを変更することも可能であり、これらの並びの変更方法は、同時に適用することが可能である。なお、ここで言う並びとは、主に工事の工程に沿った並びのことを表しているとしてよい。
【００４８】
また、修正部１０５は、並びの指定の例として、現場写真詳細データ１００３のうち室データ１００３ａがＡ室であり面データ１００３ｂがＡ面である少なくとも１つ以上の現場写真１００２を、撮影日時の古い順番則ち工事の工程に沿って並びの変更を決定し、また、室データ１００３ａはＡ室のままであり、面データ１００３ｂがＢ面、Ｃ面、Ｄ面、天井、床下、外部と変更された現場写真詳細データ１００３に対応する現場写真１００２を、撮影日時の古い順番（則ち工事の工程。）に沿って変更が決定された並びとしてもよい。同様に、室データ１００３ａをＢ室、Ｃ室、Ｄ室と変更していき、前述のように並びの変更を決定してよい。その際、現場写真報告データにおける現場写真１００２の並びは、現場写真詳細データ入力部０ｗ３ａ及び０ｗ３ｂにおける選択肢の並びが早いほど、又は撮影日時が古いほど現場写真報告データのページの上方に位置することとしてよい。なお、前述の例においては、室データ１００３ａが最も大きな分類としての項目であり、その並びは他の項目の並びよりも優先されるため、室データ１００３ａの並びは面データ１００３ｂや撮影日時による並びの変更に影響を受けず、同様に面データ１００３ｂの並びは撮影日時の並びよりも優先され、撮影日時による並びの変更に影響を受けない。このように、並びの変更の際により優先される分類としての項目の順位を予め決定しておき、監督者が報告書データ１００４を生成する際に、並びの変更に関する項目の優先順位を適用してもよい。なお、本発明の一実施形態にかかる「工事の工程」とは、工事における工程の順序を指してよく、工事における工程の優先順位であってよい。このとき、当該工程は、工事現場における作業を指す。そして、「工事の工程」にかかるデータ・情報は、現場データ１００１に含まれてよく、図面データ１０００に含まれてよく、上記工事種別群に含まれる工事のそれぞれに対応し予め設定されているマスタであってよい。
【００４９】
前述の例のように、監督者が現場写真１００２を工事の工程に沿って整理することで、撮影の失念による現場写真１００２の不足や不鮮明な現場写真１００２が存在した場合に、監督者は不足の特定や再撮影の指示を容易に行うことが可能となる。
【００５０】
コード生成部１０６は、項目入力画面０ｗ１を介して入力された現場データ１００１の少なくとも一部に基づき、現場データ１００１と対応するコード画像１００５の生成を行う。
【００５１】
コード生成部１０６が生成するコード画像１００５の態様は、後述する読取部２０７が読み取ることが可能であれば特に限定はされず、ＱＲコード（登録商標）を含む２次元コード、及び、１次元コード（バーコード）を含む各種のコードを用いることが可能である。
【００５２】
報告書生成部１０７は、現場データ１００１の指定を条件として、現場データ１００１と対応する現場写真詳細データ１００３及び現場写真１００２に基づいて、報告書データ１００４の生成とデータベースへの保存を行う。また、報告書生成部１０７は、修正部１０５と同様、報告書データ１００４中の現場写真１００２について、現場データ１００１における現場写真詳細データ１００３の少なくとも一部に基づいて、その並びを変更してもよい
【００５３】
報告書生成部１０７は、図７及び図８に例示されるような報告書データ１００４にかかる生成を行う。報告書データ１００４は、図７に例示される表紙データと、図８に例示される現場写真報告データと、を含む。
【００５４】
上記表紙データは、現場データ１００１にかかる工事種別データ１００１ａ、現場住所データ１００１ｂ、及び、補助事業者データ１００１ｃ等の、工事現場の詳細を示す。
【００５５】
上記現場写真報告データは、現場データ１００１における１以上の現場写真１００２、及び１以上の現場写真１００２のそれぞれと対応する室データ１００３ａ、面データ１００３ｂ、現場写真分類データ１００３ｃ、及び、工事項目データ１００３ｄ等の、現場写真１００２の詳細を示す。
【００５６】
報告書送信部１０８は、後述の報告書要求部２０４から要求された参照要求に応じて、指定された検索クエリと対応する報告書データ１００４をデータベースにおいて参照し、送信部１０２を介して端末装置２へ送信を行う。
【００５７】
表示部１０９は、液晶ディスプレイや有機ＥＬ（エレクトロルミネッセンス）ディスプレイ等を用いて構成された表示パネル及び駆動部を含むディスプレイである。
【００５８】
図４に例示されるように、表示部１０９は、工事現場にかかる年度の情報を指定するための項目入力部０ｗ１ａと、工事現場にかかる工事種別の情報を指定するための項目入力部０ｗ１ｂと、工事現場にかかる整理番号の情報を指定するための項目入力部０ｗ１ｃと、工事現場にかかる現場住所の情報を指定するための項目入力部０ｗ１ｄと、工事現場にかかる補助事業者の情報を指定するための項目入力部０ｗ１ｅと、工事現場にかかる居住者の情報を指定するための項目入力部０ｗ１ｆと、工事現場にかかる工事請負者の情報を指定するための項目入力部０ｗ１ｇと、工事現場にかかる工事管理者の情報を指定するための項目入力部０ｗ１ｈと、を含む項目入力画面０ｗ１の表示処理を行う。ここで、監督者は、項目入力画面０ｗ１における項目入力部０ｗ１ａ〜０ｗ１ｈのうち少なくとも必須項目への入力、及び、項目入力部０ｗｉの指定に基づき、現場データ１００１にかかるリクエストを行う。そして、コード生成部１０６は、監督者によるリクエストに基づき、上記生成処理を行う。なお、当該必須項目は、項目入力部０ｗ１ａ〜０ｗ１ｈのそれぞれにおいて指定可能な項目や情報の少なくとも１つであってよい。
【００５９】
操作入力部１１０は、キーボード、操作ボタン、マウス、表示部１０９上に設けられたタッチセンサなどの入力デバイス１４であり、外部からなされる操作を受け付け、当該操作に応じた信号を管理サーバ１に入力する。
【００６０】
印刷部１１１は、例えばプリンタであり、コード生成部１０６により生成されたコード画像１００５の印刷及び／又は、報告書生成部１０７により生成された報告書データ１００４をデータベースにおいて参照し印刷を行う。
【００６１】
転送部２０１は、ネットワークを介して管理サーバ１に対して情報の送信を行う。
【００６２】
受信部２０２は、ネットワークを介して管理サーバ１からの情報の受信を行う。
【００６３】
端末表示部２０３は、液晶ディスプレイ又は有機ＥＬ（エレクトロルミネッセンス）ディスプレイを用いて構成された表示パネル及び駆動部を含むディスプレイである。
【００６４】
図５に例示されるように、端末表示部２０３は、現場データ１００１にかかる編集及び更新を行うための現場データ編集部０ｗ２ａと、現場データ１００１にかかる出力処理を行うための現場データ出力部０ｗ２ｂと、を含む管理画面０ｗ２の表示処理を行う。端末表示部２０３は、管理画面０ｗ２において、コード画像１００５を現場データ１００１毎に表示処理する。
【００６５】
図６に例示されるように、端末表示部２０３は、現場写真詳細データ１００３にかかる工事を行う部屋を指定するための現場写真詳細データ入力部０ｗ３ａと、現場写真詳細データ１００３にかかる工事を行う部屋の面を指定するための現場写真詳細データ入力部０ｗ３ｂと、現場写真詳細データ１００３にかかる工事写真分類の種別を指定するための現場写真詳細データ入力部０ｗ３ｃと、現場写真詳細データ１００３にかかる工事項目の情報を指定するための現場写真詳細データ入力部０ｗ３ｄと、現場写真詳細データ１００３にかかる特記事項の記入をするための現場写真詳細データ入力部０ｗ３ｅと、撮影部２１１を起動するための起動部０ｗ３ｆと、現場写真１００２と対応付けられた現場写真詳細データ１００３を管理サーバ１に対して転送するための転送承認部０ｗ３ｇと、を含む現場写真詳細データ入力画面０ｗ３の表示処理を行う。なお、入力部２１０は、現場写真詳細データ入力部０ｗ３ａ〜０ｗ３ｅにかかる入力／指定に基づいて、現場写真詳細データ１００３の少なくとも一部の入力を行う。
【００６６】
なお、撮影部２１１を用いて現場写真１００２の撮影を行うための条件の一部として、起動部０ｗ３ｆを作業者が指定することが挙げられる。このとき、転送部２０１は、撮影された現場写真１００２を現場写真詳細データ１００３と対応付けて管理サーバ１に対して送信することができる。また、このとき、転送部２０１は、転送承認部０ｗ３ｇを作業者が指定し撮影された現場写真１００２を作業者が指定することをさらに条件として、撮影された現場写真１００２を現場写真詳細データ１００３と対応付けて管理サーバ１に対して送信することができる。また、現場写真詳細データ入力画面０ｗ３では、転送承認部０ｗ３ｇを作業者が指定することを条件として、現場写真記憶部２１３に保存された現場写真１００２の中から少なくとも１つ以上の現場写真１００２を作業者が選択することができる。このとき、転送部２０１は、選択された現場写真１００２を現場写真詳細データ１００３と対応付けて管理サーバ１に対して送信することができる。
【００６７】
報告書要求部２０４は、報告書データ１００４が示し得る情報の少なくとも一部を検索クエリとして指定し、管理サーバ１に対して報告書データ１００４の参照を要求する参照要求を行う。
【００６８】
追加転送部２０５は、現場写真記憶部２１３に保存された現場写真１００２の中から、少なくとも１つ以上の現場写真１００２を選択して、選択した現場写真１００２に対応する現場写真詳細データ１００３を現場写真詳細データ入力画面０ｗ３において入力し、現場データ１００１と対応付けて、転送部２０１を介して管理サーバ１に追加で転送を行う。
【００６９】
修正要求部２０６は、現場データ１００１、現場写真１００２又は現場写真詳細データ１００３の少なくとも一部の変更及び／又は削除を管理サーバ１に対して要求する修正要求を行う。
【００７０】
読取部２０７は、後述の撮影部２１１と協調して、コード画像１００５にかかる読取処理を行うことにより、コード画像１００５が表す工事現場の現場データ１００１を取得する。読取部２０７は、例として、コード画像１００５を表す画像や印刷物からコード画像１００５の部分を認識し、当該部分に対してデコード処理を行う。
【００７１】
画像処理部２０８は、後述の撮影部２１１により撮影された現場写真１００２に対して、デモザイキング、ホワイトバランス処理、ガンマ補正を含む画像処理を施す。端末表示部２０３は、画像処理部２０８により画像処理が施された現場写真１００２を出力する。
【００７２】
画像登録部２０９は、後述の撮影部２１１により撮影された現場写真１００２を、読取部２０７によって取得された現場データ１００１に基づき、入力部２１０に対する所定の操作に応じて、現場写真記憶部２１３に記憶させる。
【００７３】
入力部２１０は、キーボード、操作ボタン、マウス、端末表示部２０３上に設けられたタッチセンサなどの入力デバイス２４を利用して、外部からなされる操作を受け付け、当該操作に応じた信号を端末装置２に入力する。
【００７４】
撮影部２１１は、端末装置２に内蔵又は接続可能な撮影装置であり、ＣＣＤ（Ｃｈａｒｇｅ Ｃｏｕｐｌｅｄ Ｄｅｖｉｃｅ）イメージセンサやＣＭＯＳ（Ｃｏｍｐｌｅｍｅｎｔａｒｙ ＭＯＳ）イメージセンサ等の撮像素子、外部から入射する光を当該撮像素子の受光面に合焦させる光学系、ＡＤコンバータ等の信号処理部などを含む。撮影部２１１は、外部から入射する光信号を電気信号に変換し、さらに、この電気信号をデジタル信号に変換することにより画像データの生成を行う。
【００７５】
撮影部２１１は、図面データ１０００に基づき表示処理又は印刷処理された図面ページに付されたコード画像１００５にかかる読取処理を行う。
【００７６】
撮影部２１１は、作業者による端末装置２に対する操作に応じて、工事現場にかかる現場写真１００２の撮影処理を行う。ここで、当該撮影処理にかかる現場写真１００２の寸法、解像度及びポストエフェクトに制限はない。
【００７７】
なお、作業者が撮影部２１１を用いて工事現場にかかる現場写真１００２の撮影処理を行う構成として、本発明を介さず撮影部２１１を使用することを条件として、現場写真１００２撮影処理を行う構成としてもよい。またなお、撮影部２１１は、コード画像１００５の読取処理の成功を条件として、現場写真１００２の撮影処理を行う構成としてもよい。またなお、撮影部２１１は、現場写真詳細データ入力画面０ｗ３における指定を条件として、現場写真１００２の撮影処理を行う構成としてもよい。
【００７８】
補助記憶デバイス２３は、ＲＯＭを利用して、オペレーティングシステム及びドライバに加えて、各種機能を実行するアプリケーションプログラムや、これらのプログラムの実行中に使用される各種パラメータ等を記憶する。詳細には、補助記憶デバイス２３は、各種プログラムを記憶するプログラム記憶部２１２と、現場写真記憶部２１３と、を含む。
【００７９】
プログラム記憶部２１２に記憶されているアプリケーションプログラムとしては、コード画像１００５を読み取ることにより、コード画像１００５と対応する現場データ１００１を取得し、取得した現場データ１００１に基づいて、撮影部２１１で工事現場を撮影することにより生成された現場写真１００２を、現場写真詳細データ入力画面０ｗ３を介して入力した現場写真詳細データ１００３と関連付け、現場写真記憶部２１３に記憶させるアプリケーションプログラムが挙げられる。
【００８０】
現場写真記憶部２１３は、撮影部２１１により生成された現場写真１００２、又は、当該現場写真１００２に対して画像処理部２０８が画像処理を施した表示用の現場写真１００２の記憶を行う。
【００８１】
本発明によれば、現場写真１００２の集約にかかる作業者の負担を軽減し、報告書データ１００４の作成にかかる監督者の負担を軽減するような、現場写真管理にかかる新規な技術を提供することができる。
【符号の説明】
【００８２】
１          ：管理サーバ
２          ：端末装置
１１        ：演算デバイス
１２        ：主記憶デバイス
１３        ：補助記憶デバイス
１４        ：入力デバイス
１５        ：出力デバイス
１６        ：通信デバイス
２１        ：演算デバイス
２２        ：主記憶デバイス
２３        ：補助記憶デバイス
２４        ：入力デバイス
２５        ：出力デバイス
２６        ：通信デバイス
２７        ：撮像デバイス
１０１      ：受信部
１０２      ：送信部
１０３      ：保存部
１０４      ：追加保存部
１０５      ：修正部
１０６      ：コード生成部
１０７      ：報告書生成部
１０８      ：報告書送信部
１０９      ：表示部
１１０      ：操作入力部
１１１      ：印刷部
２０１      ：転送部
２０２      ：受信部
２０３      ：端末表示部
２０４      ：報告書要求部
２０５      ：追加転送部
２０６      ：修正要求部
２０７      ：読取部
２０８      ：画像処理部
２０９      ：画像登録部
２１０      ：入力部
２１１      ：撮影部
２１２      ：プログラム記憶部
２１３      ：現場写真記憶部
１００１    ：現場データ
１００１ａ  ：工事種別データ
１００１ｂ  ：現場住所データ
１００１ｃ  ：補助事業者データ
１００２    ：現場写真
１００３    ：現場写真詳細データ
１００３ａ  ：室データ
１００３ｂ  ：面データ
１００３ｃ  ：現場写真分類データ
１００３ｄ  ：工事項目データ
１００４    ：報告書データ
１００５    ：コード画像
【要約】      （修正有）【課題】現場写真管理にかかる新規な技術を提供する工事現場の現場写真管理システム、方法、装置及びプログラムを提供する。【解決手段】現場写真管理システムにおいて、管理サーバ１は、項目入力画面を表示処理させる表示部１０９と、入力された現場データの少なくとも一部に基づいてコード画像を生成するコード生成部１０６と、端末装置２から転送された現場写真詳細データ及び現場写真を現場データと対応付けてデータベースに保存する保存部１０３と、現場データと対応する現場写真詳細データ及び現場写真に基づき報告書データを生成する報告書生成部１０７と、を備える。端末装置２は、コード画像の読取処理を行い、現場写真詳細データ入力画面を表示処理する端末表示部２０３と、入力された現場写真詳細データ及び撮影された現場写真を、読取処理を行ったコード画像と対応する現場データと対応付けて管理サーバ１に転送する転送部２０１と、を備える。【選択図】図２【図１】
0006881797.tif 000002
【図２】
0006881797.tif 000003
【図３】
0006881797.tif 000004
【図４】
0006881797.tif 000005
【図５】
0006881797.tif 000006
【図６】
0006881797.tif 000007
【図７】
0006881797.tif 000008
【図８】
0006881797.tif 000009